(57)【要約】【課題】  光源ユニットを点灯又は消灯した時に発生する音鳴りを抑制可能であり、点灯時の光源ユニットの発熱を緩和できるＬＥＤ光源ユニット及びＬＥＤ照明器具の提供を目的とする。【解決手段】  本発明のＬＥＤ光源ユニット１００は、カバー部材３０の短手方向Ｘにおける両方の縁部が、前記本体ユニットの凹部の短手方向における両方の開口よりも外側に延出する一対の延出領域３３を有し、使用時において、両開口縁部の少なくとも一方と、それに対応するカバー部材３０の延出領域３３との間において、少なくとも一部に隙間５０を有することを特徴とする。【選択図】  図１
2019114564.tif 000002
【特許請求の範囲】
【請求項１】
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、前記カバー部材の短手方向における一対の縁部が、短手方向において、前記本体ユニットの凹部の開口よりも外側に延出する一対の延出領域を有し、
使用時において、
前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とするＬＥＤ光源ユニット。
【請求項２】
前記カバー部材の少なくとも一方の延出領域は、前記ＬＥＤ実装基板の実装面に対する垂直方向において、前記本体ユニットの前記開口縁部に向かって、少なくとも１つの凸部を有する請求項１記載のＬＥＤ光源ユニット。
【請求項３】
さらに、スペーサーを有し、
前記スペーサーは、前記カバー部材の少なくとも一方の延出領域であって、前記本体ユニットの前記開口縁部と対向する少なくとも一部に、配置されている、請求項１又は２記載のＬＥＤ光源ユニット。
【請求項４】
前記スペーサーが、テープである、請求項３記載のＬＥＤ光源ユニット。
【請求項５】
ＬＥＤ光源ユニットを取り付けるための凹部を有する本体ユニットであり、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、前記カバー部材の短手方向における一対の縁部が、短手方向において、前記本体ユニットの凹部の開口よりも外側に延出する一対の延出領域を有し、
使用時において、
前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とするＬＥＤ照明器具の本体ユニット。
【請求項６】
前記凹部の少なくとも一方の開口縁部は、前記ＬＥＤ実装基板の実装面に対する垂直方向において、前記カバー部材の前記延出領域に向かって、少なくとも１つの凸部を有する、請求項５記載の本体ユニット。
【請求項７】
前記凸部が、前記ＬＥＤ実装基板の実装面に対する垂直方向に向かって突起した打ち出し突起部である、請求項６記載の本体ユニット。
【請求項８】
さらに、スペーサーを有し、
前記スペーサーは、前記本体ユニットの少なくとも一方の開口縁部であって、前記カバー部材の前記延出領域と対向する少なくとも一部に、配置されている、請求項５から７のいずれか一項に記載の本体ユニット。
【請求項９】
前記スペーサーが、テープである、請求項８記載の本体ユニット。
【請求項１０】
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、前記カバー部材の短手方向における一対の縁部が、短手方向において、前記本体ユニットの凹部の開口よりも外側に延出する一対の延出領域を有し、
使用時において、
前記ＬＥＤ光源ユニットの前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とするＬＥＤ照明器具。
【請求項１１】
前記ＬＥＤ光源ユニットが、請求項１から４のいずれか一項に記載のＬＥＤ光源ユニットである請求項１０記載のＬＥＤ照明器具。
【請求項１２】
前記本体ユニットが、請求項５から９のいずれか一項に記載の本体ユニットである請求項１０記載のＬＥＤ照明器具。
【発明の詳細な説明】
【技術分野】
【０００１】
本発明は、ＬＥＤ光源ユニット、本体ユニット、及びＬＥＤ照明器具に関する。
【背景技術】
【０００２】
天井直付け型の照明器具として、略中央に凹部が設けられた長尺状の器具本体、及び前記器具本体の収容凹部に取り付けられる光源ユニットを含む照明器具が、一般的に知られている。前記光源ユニットは、例えば、光源部及び取付部を含み、前記取付部を、前記器具本体の前記凹部に前記取付部が取り付けることにより、前記光源ユニットの前記光源が、器具本体内部に収容される。前記天井直付け型の照明器具としては、例えば、特許文献１記載のＬＥＤ（発光ダイオード）照明器具が挙げられる。
【０００３】
特許文献１記載のＬＥＤ照明器具は、光源ユニットが、さらに、照明用カバー部材を備える。前記カバー部材は、前記取付部に取り付けるための一対の突壁部と、前記一対の突壁部よりも外側に延出する一対の延出部とを含む。そして、前記器具本体の収容凹部に前記光源ユニットを配置した状態では、前記器具本体の長手方向及び幅方向と直交する方向において、前記一対の延出部が、それぞれ前記収容凹部の開口端縁と隙間が生じないように重なる。これにより、特許文献１記載のＬＥＤ照明器具は、前記カバー部材と前記収容凹部との間に隙間が生じないため、前記光源ユニットを点灯させた際、隙間の発生によってスジ状に暗くなる事が無く、見栄えがよい。
【先行技術文献】
【特許文献】
【０００４】
【特許文献１】特許第５４９２３４４号公報
【発明の概要】
【発明が解決しようとする課題】
【０００５】
しかしながら、特許文献１記載のＬＥＤ照明器具では、以下の問題が生じる。まず、点灯時において、本体ユニットの前記収容凹部に収容されたＬＥＤ又は電源部からの発熱を緩和する事が困難である。また、点灯時又は消灯時において、前記器具本体及び前記カバー部材の接触面で音鳴りが発生する。
【０００６】
そこで、本発明は、光源ユニットを点灯又は消灯した時に発生する音鳴りを抑制可能であり、且つ点灯時の光源ユニットの発熱を緩和できるＬＥＤ光源ユニット、本体ユニット、及びＬＥＤ照明器具の提供を目的とする。
【課題を解決するための手段】
【０００７】
前記目的を達成するために、本発明のＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、前記カバー部材の短手方向における一対の縁部が、短手方向において、前記本体ユニットの凹部の開口よりも外側に延出する一対の延出領域を有し、
使用時において、
前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とする。
【０００８】
本発明の本体ユニットは、
ＬＥＤ光源ユニットを取り付けるための凹部を有する本体ユニットであり、
前記本体ユニットに取付けられるＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、短手方向における一対の縁部が、短手方向において、前記本体ユニットの凹部の開口よりも外側に延出する一対の延出領域を有し、
使用時において、
前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とする。
【０００９】
本体のＬＥＤ照明器具は、
ＬＥＤ光源ユニット及び本体ユニットを含み、
前記ＬＥＤ光源ユニットは、
ＬＥＤ実装基板、取付部材、及びカバー部材を含み、
前記ＬＥＤ実装基板は、一方の表面にＬＥＤが実装された基板であり、
前記取付部材は、前記ＬＥＤ実装基板を、前記取付部材を収容可能な凹部を有する本体ユニットへ取り付けるための取付部材であり、一対の底部と土台部と前記一対の底部と前記土台部とを連結する一対の側壁部とを有し、前記ＬＥＤ実装基板における実装面とは反対側の面の前記ＬＥＤ実装基板の長手方向両端付近に前記一対の底部が固定されて夫々配置され、
前記カバー部材は、前記ＬＥＤ実装基板に対するカバー部材であり、前記カバー部材の短手方向における一対の縁部が、短手方向において、前記本体ユニットの凹部の開口よりも外側に延出する一対の延出領域を有し、
使用時において、
前記ＬＥＤ光源ユニットの前記取付部材は、前記本体ユニットの凹部に収容され、
前記カバー部材は、前記ＬＥＤ実装基板の実装面に対する垂直方向において、前記ＬＥＤ実装基板の実装面及び前記本体ユニットの凹部の開口を覆うように配置され、
前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とする。
【発明の効果】
【００１０】
本発明によれば、光源ユニットを点灯又は消灯した時に発生する音鳴りを抑制可能であり、点灯時の光源ユニットの発熱を緩和できるＬＥＤ光源ユニット、本体ユニット、及びＬＥＤ照明器具を提供可能である。
【図面の簡単な説明】
【００１１】
【図１】図１は、実施形態１のＬＥＤ照明器具の一例を示す下方向からの斜視図である。
【図２】図２（ａ）及び（ｂ）は、実施形態１のＬＥＤ光源ユニットの一例を示す下方向からの斜視図及び上方向からの斜視図である。
【図３】図３は、実施形態１の取付部材の一例を示す斜視図である。
【図４】図４は、実施形態１の本体ユニットの一例を示す下方向からの斜視図である。
【図５】図５は、実施形態２のＬＥＤ照明器具の一例を示す下方向からの斜視図である。
【図６】図６は、実施形態３のサイドキャップの一例を示す斜視図である。
【図７】図７（ａ）は、図６の一対のサイドキャップを取り付けたＬＥＤ光源ユニットの一例を示す上方向からの斜視図であり、図７（ｂ）は、図７（ａ）のＬＥＤ光源ユニットを本体ユニットに取り付けてセットしたＬＥＤ照明器具の一例を示す下方向からの斜視図である。
【図８】図８（ａ）は、左が、実施形態３のサイドキャップの別の一例を示す斜視図、右が、前記サイドキャップを取り付けたＬＥＤ光源ユニットの上方向からの斜視図である。図８（ｂ）は、左が、実施形態３のサイドキャップの別の一例を示す斜視図、右が、前記サイドキャップを取り付けたＬＥＤ光源ユニットの上方向からの斜視図である。
【図９】図９は、実施形態３のサイドキャップの別の一例を示す斜視図、及び一対の前記サイドキャップを取り付けたＬＥＤ照明器具の短手方向断面図である。
【図１０】図１０は、実施形態４のＬＥＤ照明器具の一例を示す下方向からの斜視図である。
【図１１】図１１は、実施形態５のＬＥＤ照明器具の一例を示す下方向からの斜視図である。
【発明を実施するための形態】
【００１２】
本発明のＬＥＤ光源ユニット及び本発明の本体ユニットは、それぞれ、使用時において、本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とする。本発明のＬＥＤ照明器具は、ＬＥＤ光源ユニット及び本体ユニットを含み、使用時において、前記本体ユニットの凹部の短手方向における一対の開口縁部と、前記一対の開口縁部に対向する前記カバー部材の一対の延出領域とは、それぞれ、前記ＬＥＤ実装基板の実装面に対する垂直方向において、長手方向に沿って重なるが、前記一対の開口縁部の少なくとも一方と、それに対向する前記カバー部材の前記延出領域との間において、少なくとも一部に隙間を有することを特徴とする。
【００１３】
そこで、本発明のＬＥＤ光源ユニットを備えるＬＥＤ照明器具を実施形態１〜３、本発明の本体ユニットを備えるＬＥＤ照明器具を実施形態４〜５として、以下、本発明のＬＥＤ照明器具、本発明の本体ユニット、及び本発明のＬＥＤ照明器具について、図面を参照して詳細に説明する。ただし、本発明は、以下の説明に限定されない。尚、以下の図１〜図１１において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１４】
以下、「使用時」とは、例えば、ＬＥＤ光源ユニットを本体ユニットに取り付け、ＬＥＤ照明器具として使用する時をいう。
【００１５】
以下、図１〜図１１において、長手方向Ｙにおける紙面の手前方向を「前方」とし、奥方向を「後方」とする。
【００１６】
［実施形態１］
［ＬＥＤ照明器具］
図１は、本実施形態のＬＥＤ照明器具の一例を示す下方向からの斜視図である。ＬＥＤ照明器具１０００は、本発明のＬＥＤ光源ユニット１００、及び本体ユニット２００を、主要構成要素として含む。ＬＥＤ光源ユニット１００は、本体ユニット２００の一対の開口縁部Ｌと、それに対向するカバー部材３０の延出領域３３との間に隙間を形成するために、カバー部材３０の一対の延出領域３３が凸部３５を有することを特徴とする。以下では、まず、ＬＥＤ光源ユニット１００の構成について説明し、次に、本体ユニット２００の構成について説明する。尚、以下で説明するＬＥＤ光源ユニットは、本発明の前記ＬＥＤ光源ユニットの説明でもある。
【００１７】
［ＬＥＤ光源ユニット］
図２（ａ）及び（ｂ）は、本実施形態のＬＥＤ光源ユニットの一例を示す下方向からの斜視図及び上方向からの斜視図である。ＬＥＤ光源ユニット１００は、図１のＬＥＤ光源ユニット１００と同一である。ＬＥＤ光源ユニット１００は、ＬＥＤ実装基板１０、取付部材２０、及びカバー部材３０を主要構成要素として含み、電源部４０を任意の構成要素として含む。
【００１８】
（１）ＬＥＤ実装基板
ＬＥＤ実装基板１０は、一方の表面（実装面）１２にＬＥＤ１１が実装された基板である。ＬＥＤ実装基板１０では、複数のＬＥＤ１１が前記基板の実装面１２に実装されているが、本実施形態において、ＬＥＤ１１の数は、これに限定されず、一つであってもよい。また、ＬＥＤ実装基板１０は、例えば、配線等の電源接続手段により電源部４０と接続されている。尚、本実施形態において、ＬＥＤ実装基板１０の後方の端部には、例えば、ＬＥＤ実装基板１０と電源部４０とを電気的に接続するためのコネクタを実装し、前記コネクタと電源部４０とが前記電源接続手段により接続されていてもよい。
【００１９】
本実施形態において、ＬＥＤ実装基板１０を構成する基板（単位基板）の数は、一つであってもよいし、複数であってもよい。前記単位基板が複数の場合、ＬＥＤ実装基板１０は、例えば、ＬＥＤ実装基板１０の長手方向Ｙに沿って、コネクタ等の接続手段を介して、前記単位基板を互いに接続させることで構成されてもよい。
【００２０】
（２）取付部材
取付部材２０は、取付部材２０を収容可能な凹部を有する本体ユニットへの取付部材である。取付部材２０は、ＬＥＤ実装基板１０において、実装面１２とは反対側の面に配置される。
【００２１】
図２に示す取付部材２０の構成について、図３を用いて説明する。図３は、取付部材２０の一例を示す斜視図である。図３に示す取付部材２０は、一対の底部２１、一対の側壁部２２、及び土台部２３で構成される。一対の側壁部２２により、一対の底部の各底部２１及び土台部２３が連結されている。各底部２１には、ＬＥＤ実装基板１０と固定するためのねじ止め孔２４が設けられている。これにより、ねじ等の固定手段を用いて、ＬＥＤ実装基板１０を取付部材２０に取り付ける。各側壁部２２には、係止穴２５が一つ設けられており、土台部２３には、係止穴２６が２つ設けられている。これらの係止穴２５及び係止穴２６は、後述する本体ユニット側に設けられたバネ状係止片に対する係止穴である。前記バネ状係止片が、係止穴２５及び係止穴２６へ係止されることにより、図１のＬＥＤ照明器具１０００に示すように、ＬＥＤ光源ユニット１００が、本体ユニット２００に取り付けられる。この場合、図１に示すように、取付部材２０は、本体ユニット２００の凹部に収容される。
【００２２】
（３）カバー部材
カバー部材３０は、ＬＥＤ実装基板１０に対するカバー部材である。使用時において、カバー部材３０は、ＬＥＤ実装基板１０の実装面１２に対する垂直方向Ｚにおいて、ＬＥＤ実装基板１０の実装面及び本体ユニット２００の凹部２１１の開口を覆うように配置される。
【００２３】
カバー部材３０は、例えば、ＬＥＤ実装基板１０の実装面１２を覆うカバー部３１と、ＬＥＤ実装基板１０を収容するレール部３２と、を含む。尚、本実施形態において、レール部３２は、任意の構成要素であり、なくてもよい。
【００２４】
カバー部３１は、カバー部材３０の短手方向Ｘにおける両方の縁部Ｉが、短手方向Ｘにおいて、後述の図４に示す本体ユニット２００の凹部２１１の開口よりも外側に延出する一対の延出領域３３を有する。
【００２５】
一対の延出領域３３は、それぞれ、ＬＥＤ実装基板１０の実装面１２に対する垂直方向Ｚにおいて、本体ユニット２００の開口縁部Ｌに向かって、５つの凸部３５を有する。そして、使用時において、本体ユニット２００の凹部２１１の短手方向Ｘにおける一対の開口縁部Ｌと、一対の開口縁部Ｌに対向するカバー部材３０の一対の延出領域３３の凸部３５とは、それぞれ、ＬＥＤ実装基板１０の実装面１２に対する垂直方向Ｚにおいて、長手方向Ｙに沿って重なる。この場合、図１に示すように、一対の開口縁部Ｌの少なくとも一方と、それに対向するカバー部材３０の延出領域３３の凸部３５を有さない領域（凹部ともいう）との間において、複数の隙間５０を有する。
【００２６】
ＬＥＤ照明器具１０００では、前述の通り、複数の隙間５０を有するが、本実施形態において、隙間５０の数は、これに限定されず、一つであってもよい。また、図１に示すＬＥＤ照明器具１０００では、一対の開口縁部Ｌと、それに対応するカバー部材３０の延出領域３３との間に隙間５０を有するが、本実施形態では、これに限定されず、例えば、一対の開口縁部Ｌの一方のみと、それに対応するカバー部材３０の延出領域３３との間に隙間５０を有してもよい。
【００２７】
本実施形態において、凸部３５の高さは、特に制限されず、例えば、０．２〜２ｍｍであり、凸部３５の幅方向の大きさも特に制限されず、例えば、０．２〜５ｍｍである。凸部３５が複数ある場合、カバー部材３０の延出領域の長手方向Ｙの全長に対する、複数の凸部３５の幅方向の合計の長さの割合は、例えば、０．０２〜１０％である。本実施形態において、例えば、凸部３５の高さ及び幅を設定することにより、隙間５０の高さ及び幅が設定される。
【００２８】
各レール部３２は、一対の延出領域３３に対し、起立した状態で配置される。各レール部３２は、長手方向Ｙに沿って、内部に溝３４を有する。ＬＥＤ実装基板１０は、例えば、各レール部３２の溝３４にスライド可能に挿入される。使用時において、図１に示すように、一対のレール部３２は、本体ユニット２００の凹部２１１に収容される。
【００２９】
カバー部材３０は、例えば、ＬＥＤ１１からの照射光を透過可能であってもよいし、前記照射光を拡散可能であってもよい。カバー部材３０の形成材料としては、特に制限されず、例えば、透過性のポリカーボネート、アクリル樹脂等が挙げられる。
【００３０】
カバー部材３０のカバー部３１の形状は、略逆台形形状であるが、本実施形態において、カバー部の形状は、一対の延出領域３３を有するのであれば、これに限定されない。前記カバー部の形状としては、例えば、略凸レンズ形状、略半円形状、略扇形形状、略台形形状、略直方体形状等であってもよいし、例示した前記形状を有していてもよい。
【００３１】
本実施形態において、一対のレール部３２は、前述の通り、カバー部材３０の構成要素として任意の構成要素であり、なくてもよい。カバー部材３０の構成要素として、一対のレール部３２を含まない場合は、例えば、カバー部上面に、ＬＥＤ実装基板１０を配置し、ねじ等の固定手段を用いて固定してもよい。
【００３２】
（４）電源部
電源部４０は、例えば、図２に示すように、ＬＥＤ実装基板１０の実装面１２と反対側の面の略中央部に配置される。
【００３３】
電源部４０は、例えば、電源基板及びケースを含み、前記電源基板は、前記ケースに収納される。前記電源基板は、例えば、ＬＥＤ１１を駆動するための回路部品が実装された基板であり、電源部４０とＬＥＤ実装基板１０とを電気的に接続することにより、ＬＥＤ１１を駆動する。
【００３４】
（５）サイドキャップ
本実施形態において、ＬＥＤ光源ユニットは、一対のサイドキャップを含んでもよい。前記一対のサイドキャップは、それぞれ、カバー部材３０に対するサイドキャップであり、カバー部材３０の長手方向Ｙの端部を挿入する挿入部を有する。使用時において、前記一対のサイドキャップに、それぞれ、カバー部材３０の長手方向Ｙの両端が挿入される。
【００３５】
［本体ユニット］
次に、本実施形態のＬＥＤ照明器具１０００の構成要素である本体ユニット２００について図４を用いて説明する。本体ユニット２００は、図１の本体ユニット２００と同一である。
【００３６】
本体ユニット２００は、例えば、本体板２１０、一対の板バネ状係止片２２０を含む。
【００３７】
本体板２１０は、例えば、長手方向Ｙに延びる凹部２１１と、長手方向Ｙに延びる、凹部２１１に連結した傾斜面とを有する。凹部２１１は、その幅方向の断面形状が、凹状であり、前記傾斜面は、その幅方向の断面形状が、上方向に向かって広がるテーパー状である。
【００３８】
板バネ状係止片２２０は、本体板２１０の長手方向Ｙの前方の端部側及び後方の端部側のそれぞれに、取り付けられる。板バネ状係止片２２０は、例えば、先端部２２２に向かう間に折り返した形状をしており、前記折り返した端部２２１を有し、折り返した端部２２１は、カーブ形状を有する。そして、図１に示すように、折り返した端部２２１が、取付部材２０の土台部２３の係止穴２６を通り、先端部２２２が、各側壁部２２の係止穴２５を通ることにより、板バネ状係止片２２０が取付部材２０に係止され、本体ユニット２００を、取付部材２０に取り付けることが可能である。
【００３９】
本体板２１０及び板バネ状係止片２２０は、例えば、板金に曲げ加工を施し、不要部分を削ぎ取ることにより形成される。
【００４０】
本体ユニット２００は、例えば、本体板２１０の凹部２１１の底面２１３に、孔（図示せず）を設け、天井材に設けられた吊ボルトを前記孔に通し、前記吊ボルトにナット等の固定手段をねじ込んで、前記天井材に固定される。
【００４１】
本体ユニット２００は、さらに、端子台を構成要素として備えてもよい。前記端子台は、例えば、本体板２１０の凹部２１１の底面２１３に配置される。前記端子台には、電源部４０に電力を供給するために天井材側に露出する電源線が接続されており、さらに、電源部４０との間を電気的に接続する電線が接続されていてもよい。
【００４２】
以下、図２に示すＬＥＤ光源ユニット１００を、図４に示す本体ユニット２００へ取り付けて、図１のＬＥＤ照明器具１０００をセットする方法について説明する。前述の通り、本体ユニット２００の前方の端部及び後方の端部に設けられた各板バネ状係止片２２０の折り返し端部２２１を、取付部材２０の土台部２３の係止穴２６に通させ、先端部２２２を、取付部材２０の各側壁２２の係止穴２５に通させる。これにより、取付部材２０は、本体ユニット２００の凹部２１１内に収容される状態で、本体ユニット２００に取り付けられる。このとき、本体ユニット２００の凹部２１１の短手方向Ｘにおける一対の開口縁部Ｌと、一対の開口縁部Ｌに対向するカバー部材３０の一対の延出領域３３の凸部３５とは、ＬＥＤ実装基板１０の実装面１２に対する垂直方向Ｚにおいて、長手方向Ｙに沿って重なる。これにより、図１に示すように、一対の開口縁部Ｌと、それに対向するカバー部材３０の延出領域３３の凸部３５を有さない領域との間において、複数の隙間５０を有する。このようにして、ＬＥＤ光源ユニット１００を本体ユニット２００へ取りつけ、図１に示すＬＥＤ照明器具１０００をセットすることができる。
【００４３】
尚、本実施形態において、カバー部材３０の一対の延出領域３３の凸部３５と、凹部２１１の短手方向Ｘにおける一対の開口縁部Ｌとが、重なるように、例えば、板バネ状係止片２２０を手動で折り曲げることにより、適宜調整してもよい。
【００４４】
以下、図１のＬＥＤ照明器具１０００の本体ユニット２００を天井材に取り付ける方法の一例を説明する。本体ユニット２００に設けられた本体板２１０の凹部２１１の底面２１３の孔（図示せず）に、天井材に設けられた吊ボルトを通し、前記吊ボルトにナット等の固定手段をねじ込んで、前記天井材に固定する。このようにして、図１のＬＥＤ照明器具１０００を天井材に取り付けることができる。
【００４５】
一般的なＬＥＤ照明器具では、カバー部材の形成材料としては樹脂が用いられており、前記器具本体の形成材料として金属が用いられている。つまり、前記カバー部材及び前記器具本体は、膨張率の異なる材料で形成されている。このため、特許文献１記載のＬＥＤ照明器具のように、前記直交方向において、前記各延出部が、前記開口端縁と隙間なく重なる場合、点灯時又は消灯時の温度変化により、前記器具本体及び前記カバー部材の接触面で摩擦による音鳴りが発生する。
【００４６】
これに対し、図１に示すＬＥＤ照明器具１０００では、前述の通り、一対の開口縁部Ｌと、それに対向するカバー部材３０の延出領域３３の凸部３５とが重なるため、一対の開口縁部Ｌと、凸部３５を有さない延出領域３３との間において、複数の隙間５０を有する。ＬＥＤ照明器具１０００では、隙間５０を有するために、点灯時又は消灯時の温度変化により発生するカバー部材３０及び本体ユニット２００の擦れから生じる音鳴りを抑制することができる。このため、本発明のＬＥＤ照明器具は、例えば、前述のような材料の違いに影響を受けることなく、音鳴りを抑制することができる。
【００４７】
また、ＬＥＤ照明器具１０００では、隙間５０を有するために、本体板２１０の凹部２１１開口内部と、外部との間に空気の流れが発生し、点灯時におけるＬＥＤ１１及び電源部４０の発熱を緩和できる。このため、高温時における、ＬＥＤ１１の発光効率の低下を改善できる。また、高温時における、ＬＥＤ１１又は電源部４０が故障する問題を改善できる。
【００４８】
［実施形態２］
図５は、本実施形態のＬＥＤ照明器具の一例を示す下方向からの斜視図である。ＬＥＤ照明器具２０００は、本発明のＬＥＤ光源ユニット３００、及び本体ユニット２００を、主要構成要素として含む。ＬＥＤ光源ユニット３００は、本体ユニット２００の一対の開口縁部Ｌと、それに対向するカバー部材３０の延出領域３３との間に隙間を形成するために、カバー部材３０の一対の延出領域３３が、スペーサー６０を有することを特徴とする。ＬＥＤ光源ユニット３００は、一対の延出領域３３が、凸部３５を有さず、スペーサー６０を有すること以外は、図１のＬＥＤ光源ユニット１００と同一である。また、本体ユニット２００は、図１の本体ユニット２００と同一である。ＬＥＤ照明器具２０００は、これら以外は、図１のＬＥＤ照明器具１０００と同一である。尚、以下で説明するＬＥＤ光源ユニットは、本発明の前記ＬＥＤ光源ユニットの説明でもある。
【００４９】
図５に示すＬＥＤ照明器具２０００のＬＥＤ光源ユニット３００において、スペーサー６０は、カバー部材３０の延出領域３３であって、本体ユニットの開口縁部Ｌと対向する部分の複数個所に配置されている。尚、本実施形態において、スペーサー６０は、カバー部材３０の延出領域３３の前記対向する部分の少なくとも一部に配置されていればよく、ここでいう、少なくとも一部とは、前記対向する部分の全てを含まない。また、スペーサー６０は、カバー部材３０の延出領域３３の前記対向する部分の一つに配置されていてもよいし、複数の部分に配置されていてもよい。
【００５０】
スペーサー６０としては、例えば、粘着テープ等のテープ、ゴム弾性体（エラストマー）シート等が挙げられる。前記テープとしては、特に制限されず、例えば、ガラステープ、金属テープ、樹脂テープ、エラストマーテープ等が挙げられる。前記ガラステープとは、例えば、ガラス繊維を織ったテープ等が挙げられる。前記金属テープとしては、例えば、アルミを薄くしたアルミテープ等が挙げられる。前記樹脂テープとしては、例えば、フッ素樹脂等の樹脂製のテープ等が挙げられる。前記エラストマーテープとしては、例えば、熱可塑性ポリウレタン等のテープ等が挙げられる。
【００５１】
スペーサー６０の高さ（厚みともいう）としては、特に制限されず、例えば、０．００５〜１ｍｍである。また、スペーサー６０の幅の大きさとしては、特に制限されず、例えば、１〜１００ｍｍである。本実施形態において、例えば、スペーサ−６０の高さ及び幅を設定することにより、隙間５０の高さ及び幅が設定される。
【００５２】
図５に示すように、一対の開口縁部Ｌと、それに対向するカバー部材３０の一対の延出領域３３に配置されたスペーサー６０とが重なるため、一対の開口縁部Ｌと、スペーサー６０が配置されていない一対の延出領域３３との間において、複数の隙間５０を有する。ＬＥＤ照明器具２０００では、隙間５０を有するために、点灯時又は消灯時の温度変化により発生するカバー部材３０及び本体ユニット２００の擦れから生じる音鳴りを抑制できる。また、隙間５０を有するために、本体板２１０の凹部２１１開口内部と、外部との間に空気の流れが発生し、点灯時におけるＬＥＤ１１及び電源部４０の発熱を緩和できる。このため、高温時における、ＬＥＤ１１の発光効率の低下を改善できる。また、高温時における、ＬＥＤ１１又は電源部４０が故障する問題を改善できる。
【００５３】
ＬＥＤ照明器具２０００では、一対の開口縁部Ｌと、それに対向するカバー部材３０のスペーサー６０が配置されていない部分の延出領域３３との間において、複数の隙間５０を有するが、本実施形態において、隙間５０の数は、これに限定されず一つであってもよい。
【００５４】
ＬＥＤ照明器具２０００では、一対の開口縁部Ｌと、それに対向するカバー部材３０のスペーサー６０が配置されていない部分の延出領域３３との間において、隙間５０を有する。但し、本実施形態において、ＬＥＤ照明器具は、一対の開口縁部Ｌの一方のみと、それに対向するカバー部材３０のスペーサー６０が配置されていない部分の延出領域３３との間において、隙間５０を有する形態であってもよい。
【００５５】
［実施形態３］
図６は、サイドキャップ７０の斜視図であり、図７（ａ）は、図６の一対のサイドキャップを取り付けたＬＥＤ光源ユニットの一例を示す上方向からの斜視図であり、図７（ｂ）は、図７（ａ）のＬＥＤ光源ユニットを本体ユニットに取り付けてセットしたＬＥＤ照明器具の一例を示す下方向からの斜視図である。
【００５６】
ＬＥＤ照明器具３０００は、本発明のＬＥＤ光源ユニット４００、及び本体ユニット２００を、主要構成要素として含む。ＬＥＤ光源ユニット４００は、本体ユニット２００の一対の開口縁部Ｌと、それに対向するカバー部材３０の延出領域３３との間に隙間を形成するために、一対のサイドキャップ７０を有し、各サイドキャップ７０の一部が、本体ユニット２００の一対の開口縁部Ｌと接触することを特徴とする。ＬＥＤ光源ユニット４００は、カバー部材３０が凸部３５を有さず、さらに一対のサイドキャップ７０を有すること以外は、図１のＬＥＤ光源ユニット１００と同一である。また、本体ユニット２００は、図１の本体ユニット２００と同一である。ＬＥＤ照明器具３０００は、これら以外は、図１のＬＥＤ照明器具１０００と同一である。尚、以下で説明するＬＥＤ光源ユニットは、本発明の前記ＬＥＤ光源ユニットの説明でもある。
【００５７】
一対のサイドキャップ７０は、それぞれ、カバー部材３０に対するサイドキャップであり、例えば、カバー部材３０だけでなく、カバー部材３０およびＬＥＤ実装基板１０の基板に対するサイドキャップであってもよい。以下、サイドキャップについて、カバー部材３０およびＬＥＤ実装基板１０の基板の両方に対するサイドキャップの形態を示すが、これには制限されず、例えば、カバー部材に対するサイドキャップの形態であってもよい。一対のサイドキャップ７０は、それぞれ、図６に示すように、カバー部材３０（および任意で基板１０）の長手方向Ｙの端部を挿入する挿入部を有し（図示せず）、ＬＥＤ実装基板１０の実装面に対する垂直方向Ｚにおいて、前記挿入部の上方向に、本体ユニット２００の開口縁部Ｌに向かって、少なくとも一つの隙間形成部を有する。具体的に、図６のサイドキャップ７０は、前記挿入部の上方に、短手方向Ｘにわたって、隙間形成部として、凸部７１が設けられている。図７（ａ）において、サイドキャップ７０に挿入されるカバー部材３０の短手方向Ｘの端部の高さは、Ｈで表される。図６において、サイドキャップ３０の短手方向Ｘの端部であって、外部側の高さは、Ｋで表され、内部側の高さは、Ｍで表される。そして、サイドキャップ７０において、前記内部側の高さＭは、カバー部材３０の端部の高さＨに略相当し、略同程度の位置に前記挿入部が設けられている。また、サイドキャップ７０において、内部側の高さＭよりも突出している領域が、隙間形成部７１である。
【００５８】
図７（ａ）に示すように、使用時において、一対のサイドキャップ７０に、それぞれ、カバー部材３０（および任意で基板１０）の長手方向Ｙの両端が挿入される。これによって、光源ユニット４００の前記両端が閉塞され、サイドキャップ７０により、カバー部材３０と基板１０との間における空間を、外部から隠す（キャップする）ことができる。さらに、図７（ｂ）に示すように、サイドキャップ７０を取り付けたＬＥＤ光源ユニット４００が、本体ユニット２００に取り付けられる。この際、サイドキャップ７０の凸部７１の上方向の端部が、本体ユニット２００の開口縁部Ｌと接触する。具体的には、サイドキャップ７０は、本体ユニット２００の凹部の長手方向Ｙの端部（短手方向Ｘの一対の端部を含む）と、垂直方向Ｚにおいて接触するが、サイドキャップ７０の隙間形成部７１は、カバー部材３０（および任意で基板１０）の挿入部よりも上方向に形成されていることから、カバー部材３０の長手方向Ｙにおいて、開口縁部Ｌとそれに対向するカバー部材３０の延出領域３３との間には、サイドキャップの隙間形成部７１の高さ（高さＫ−高さＭまたは高さＫ−高さＨ）に略相当する隙間が形成されることになる。
【００５９】
図７（ｂ）に示すＬＥＤ照明器具３０００では、隙間５０を有するために、点灯時又は消灯時の温度変化により発生するカバー部材３０及び本体ユニット２００の擦れから生じる音鳴りを抑制できる。また、隙間５０を有するために、本体板２１０の凹部２１１開口内部と、外部との間に空気の流れが発生し、点灯時におけるＬＥＤ１１及び電源部４０の発熱を緩和できる。このため、高温時における、ＬＥＤ１１の発光効率の低下を改善できる。また、高温時における、ＬＥＤ１１又は電源部４０が故障する問題を改善できる。
【００６０】
サイドキャップ７０の形状は、図６に記載した形状には制限されず、その他にも、一対の開口縁部Ｌとそれに対向するカバー部材３０の延出領域３３との間において、隙間を形成できるものが使用できる。サイドキャップのその他の例を、図８（ａ）および（ｂ）に示す。なお、特に示さない限り、各サイドキャップは、前記図６および図７の説明と同様である。
【００６１】
図８（ａ）は、サイドキャップの別の一例を示す斜視図であり、左図が、サイドキャップ８０の斜視図であり、右図が、サイドキャップ８０を取り付けたＬＥＤ光源ユニット４００の上方向からの斜視図を示す。一対のサイドキャップ８０は、それぞれ、図８（ａ）の左図に示すように、カバー部材３０（および任意で基板１０）の長手方向の端部を挿入する挿入部を有し（図示せず）、ＬＥＤ実装基板１０の実装面に対する垂直方向Ｚにおいて、前記挿入部の上方向に、本体ユニット２００の開口縁部Ｌに向かって、隙間形成部８１を有する。サイドサイドキャップ８０における隙間形成部８１は、図８（ａ）の右図を用いて説明する。図８（ａ）において、サイドキャップ８０の短手方向Ｘの端部の高さは、Ｋで表され、サイドキャップ８０に挿入されるカバー部材３０の短手方向Ｘの端部の高さは、Ｈで表される。カバー部材３０は、長手方向Ｙの端部が、サイドキャップ８０に挿入されるため、サイドキャップ８０は、カバー部材３０の高さＨに相当する箇所に、カバー部材３０の前記挿入部を有する。このため、サイドキャップ８０において、高さＨよりも上の領域が、隙間形成部８１となる。
【００６２】
サイドキャップ８０を取り付けたＬＥＤ光源ユニット４００は、本体ユニット２００に取り付けられる。この際、サイドキャップ８０の上方向の端部が、本体ユニット２００の開口縁部Ｌと接触する。具体的には、サイドキャップ８０は、本体ユニット２００の凹部の長手方向Ｙの端部（短手方向の一対の端部を含む）と、垂直方向Ｚにおいて接触するが、サイドキャップ８０の隙間形成部８１は、カバー部材３０（および任意で基板１０）の挿入部よりも上方向に形成されていることから、カバー部材３０の長手方向Ｙにおいて、開口縁部Ｌとそれに対向するカバー部材３０の延出領域３３との間には、サイドキャップの隙間形成部８１の高さ（高さＫ−高さＨ）に略相当する隙間が形成されることになる。
【００６３】
図８（ａ）のサイドキャップ８０は、例えば、長手方向Ｙの端部にわたって隙間形成部８１を有するのではなく、短手方向Ｘの端部に、一対の隙間形成部を有してもよい。この形態を、図８（ｂ）に示す。図８（ｂ）は、サイドキャップの別の一例を示す斜視図であり、左図が、サイドキャップ９０の斜視図であり、右図が、サイドキャップ９０を取り付けたＬＥＤ光源ユニット４００の上方向からの斜視図を示す。一対のサイドキャップ９０は、それぞれ、図８（ｂ）の左図に示すように、カバー部材３０（および任意で基板１０）の長手方向Ｙの端部を挿入する挿入部を有し（図示せず）、ＬＥＤ実装基板１０の実装面に対する垂直方向Ｚにおいて、前記挿入部の上方向に、本体ユニット２００の開口縁部Ｌに向かって、２つの凸部を、一対の隙間形成部９１として有する。
【００６４】
サイドキャップ９０を取り付けたＬＥＤ光源ユニット４００は、本体ユニット２００に取り付けられる。この際、サイドキャップ９０の上方向の端部が、本体ユニット２００の開口縁部Ｌと接触する。具体的には、サイドキャップ９０は、本体ユニット２００の凹部の長手方向の端部（短手方向Ｘの一対の端部を含む）と、垂直方向Ｚにおいて接触するが、サイドキャップ８０の隙間形成部９１は、カバー部材３０（および任意で基板１０）の挿入部よりも上方向に形成されていることから、カバー部材３０の長手方向Ｙにおいて、開口縁部Ｌとそれに対向するカバー部材３０の延出領域３３との間には、サイドキャップの隙間形成部９１の高さに略相当する、隙間が形成されることになる。
【００６５】
本実施形態において、サイドキャップは、例えば、さらに、本体ユニットの前記凹部への挿入用凸部を有してもよい。前記挿入用凸部は、例えば、前記サイドキャップが配置された前記カバー部材を前記本体ユニットへ配置した際、前記本体ユニットの凹部の内壁と、前記カバー部材との間における間隙に、前記両者に接触した状態で挿入されるように、前記サイドキャップに設けられる。このサイドキャップの例を、図９に示す。図９におけるサイドキャップ９０は、図８（ｂ）のサイドキャップ９０が、さらに一対の挿入用凸部９２を有する形態である。図９は、上図が、サイドキャップの一例を示す斜視図、下図が、サイドキャップ９０を取り付けたＬＥＤ光源ユニット４００を、本体ユニット２００へ取り付けることによりセットされたＬＥＤ照明器具３０００の短手方向Ｘの断面図を示す。図９は、サイドキャップ９０が、挿入用凸部９２を有すること以外は、図８（ｂ）と同一である。
【００６６】
挿入用凸部９２は、サイドキャップ９０が配置されたカバー部材３０を本体ユニット２００へ配置した際、本体ユニット２００の凹部の内壁と、カバー部材３０のレール部３２との間における間隙に、前記両者に接触した状態で挿入されるように、サイドキャップ９０に設けられている。
【００６７】
図９のサイドキャップ９０は、基板１０とカバー部材３０を挿入してＬＥＤ光源ユニットを構成し、これを本体ユニット２００に取り付けた際、その挿入用凸部９１が、本体ユニット２００の凹部の前記内壁と、カバー部材３０との間における間隙に前記両者に接触した状態で挿入される。これにより、図９の下図に示すように、ＬＥＤ光源ユニット４００を本体ユニット２００に取り付けた後に、ＬＥＤ光源ユニット４００の短手方向Ｘにおけるガタツキを抑えることができる。このため、例えば、ＬＥＤ光源ユニット４００が短手方向Ｘに動くことによる、樹脂カバーのレール部３２の側面と、本体ユニット２００の前記凹部側面との接触を回避でき、前記接触による音鳴り及び発熱へのさらなる影響も回避できる。
【００６８】
挿入用凸部９１の垂直方向Ｚにおける高さは、特に制限されず、例えば、０．５〜５ｍｍである。
【００６９】
図９においては、図８（ｂ）のサイドキャップが挿入用凸部９２を備える形態を例示したが、前記挿入用凸部は、例えば、サイドキャップの種類に限定されず適用でき、例えば、図６および図８（ａ）のサイドキャップにも適用できる。
【００７０】
［実施形態４］
図１０は、本実施形態のＬＥＤ照明器具の一例を示す下方向からの斜視図である。ＬＥＤ照明器具４０００は、ＬＥＤ光源ユニット５００、及び本発明の本体ユニット６００を、主要構成要素として含む。本体ユニット６００は、本体ユニット６００の一対の開口縁部Ｌと、それに対向するカバー部材３０の延出領域３３との間に隙間を形成するために、凹部２１１の開口縁部Ｌに凸部２１２を有することを特徴とする。ＬＥＤ光源ユニット５００は、一対の延出領域３３が、凸部３５を有さないこと以外は、図１のＬＥＤ光源ユニット１００と同一である。本体ユニット６００は、凹部２１１の開口縁部Ｌに凸部２１２を有すること以外は、図１に示す本体ユニット２００と同一である。ＬＥＤ照明器具４０００は、これら以外は、図１に示すＬＥＤ照明器具１０００と同一である。尚、以下で説明する本体ユニットは、本発明の前記本体ユニットの説明でもある。
【００７１】
凸部２１２としては、例えば、本体ユニット６００の開口縁部Ｌに設けた打ち出し突起部であってもよい。前記打ち出し突起部は、ＬＥＤ実装基板１０の実装面１２に対する垂直方向Ｚに向かって突起する。前記打ち出し突起部の形状は特に制限されないが、例えば、略凸レンズ形状、略半円形状、略台形形状、略直方体形状、略三角形状等が挙げられる。前記打ち出し突起部の垂直方向Ｚにおける高さは、特に制限されないが、例えば、０．２〜２．０ｍｍである。
【００７２】
ＬＥＤ照明器具４０００では、凹部２１１の開口縁部Ｌに凸部２１２を有することにより、一対の開口縁部Ｌの凸部２１２と、それに対向するカバー部材３０の前記延出領域３３とが重なる。そして、凸部３５を有さない開口縁部Ｌと、それに対向するカバー部材３０の一対の延出領域３３との間に隙間５０を有する。ＬＥＤ照明器具４０００は、隙間５０を有するために、点灯時又は消灯時の温度変化により発生するカバー部材３０及び本体ユニット５００の擦れから生じる音鳴りを抑制できる。また、隙間５０を有するために、本体板２１０の凹部２１１開口内部と、外部との間に空気の流れが発生し、点灯時におけるＬＥＤ１１及び電源部４０の発熱を緩和できる。このため、高温時における、ＬＥＤ１１の発光効率の低下を改善できる。また、高温時における、ＬＥＤ１１又は電源部４０が故障する問題を改善できる。
【００７３】
本実施形態において、隙間５０の数は、これに限定されず、一つであってもよい。
【００７４】
本実施形態において、ＬＥＤ照明器具は、一対の開口縁部Ｌの一方と、それに対向するカバー部材３０の延出領域３３との間に、隙間を有する形態であってもよい。
【００７５】
［実施形態５］
図１１は、本実施形態のＬＥＤ照明器具の一例を示す下方向からの斜視図である。ＬＥＤ照明器具５０００は、ＬＥＤ光源ユニット７００、及び本発明の本体ユニット８００を主要構成要素として含む。本体ユニット８００は、本体ユニット８００の一対の開口縁部Ｌと、それに対向するカバー部材３０の延出領域３３との間に隙間を形成するために、一対の開口縁部Ｌの前記対向する部分にスペーサー８０を有することを特徴とする。ＬＥＤ光源ユニット７００は、一対の延出領域３３が、凸部３５を有さないこと以外は、図１のＬＥＤ光源ユニット１００と同一である。また、本体ユニット８００は、一対の開口縁部Ｌの前記対向する部分にスペーサー８０を有すること以外は、図１の本体ユニット２００と同一である。ＬＥＤ照明器具５０００は、これら以外は、図１のＬＥＤ照明器具１０００と同一である。尚、以下で説明する本体ユニットは、本発明の前記本体ユニットの説明でもある。
【００７６】
ＬＥＤ照明器具５０００の本体ユニット８００において、スペーサー８０は、一対の開口縁部Ｌの前記対向する部分の複数個所に配置されている。尚、本実施形態において、スペーサー８０は、一対の開口縁部Ｌの前記対向する部分の少なくとも一部に配置されていればよく、ここでいう、少なくとも一部とは、前記対向する部分の全てを含まない。また、スペーサー８０は、一対の開口縁部Ｌの前記対向する部分の一つに配置されていてもよいし、複数の部分に配置されていてもよい。
【００７７】
スペーサー８０としては、例えば、テープ等が挙げられ、前記テープとしては、実施形態２において、例示したテープ等が挙げられる。
【００７８】
一対の開口縁部Ｌのスペーサー８０と、それに対向するカバー部材３０の一対の延出領域３３とが重なるため、スパーサ−８０が配置されていない一対の開口縁部Ｌと、それに対向する一対の延出領域３３との間において、複数の隙間５０を有する。ＬＥＤ照明器具５０００では、隙間５０を有するために、点灯時又は消灯時の温度変化により発生するカバー部材３０及び本体ユニット８００の擦れから生じる音鳴りを抑制できる。また、隙間５０を有するために、本体板２１０の凹部２１１開口内部と、外部との間に空気の流れが発生し、点灯時におけるＬＥＤ１１及び電源部４０の発熱を緩和できる。このため、高温時における、ＬＥＤ１１の発光効率の低下を改善できる。また、高温時における、ＬＥＤ１１又は電源部４０が故障する問題を改善できる。
【００７９】
ＬＥＤ照明器具５０００では、スペーサー８０が配置されていない一対の開口縁部Ｌと、一対の延出領域３３との間において、複数の隙間５０を有するが、本実施形態において、隙間５０の数は、これに限定されず一つであってもよい。
【００８０】
ＬＥＤ照明器具５０００では、一対の開口縁部Ｌと、それに対向するカバー部材３０のスペーサー８０が配置されていない部分の延出領域３３との間において、隙間５０を有する。但し、本実施形態において、ＬＥＤ照明器具は、一対の開口縁部Ｌの一方のみと、それに対向するカバー部材３０のスペーサー８０が配置されていない部分の延出領域３３との間に、隙間５０を有する形態であってもよい。
【００８１】
本発明において、前記一対の開口縁部の少なくとも一方と、それに対向するカバー部材３０の延出領域３３との間に隙間を形成する手段は、実施形態１〜５に例示した手段に限定されない。
【００８２】
本発明において、ＬＥＤ照明器具は、実施形態１〜３のＬＥＤ光源ユニットと、実施形態４〜５の本体ユニットとを備える構成であってもよい。
【００８３】
本発明のＬＥＤ照明器具は、台所、オフィス等の天井用照明器具としても利用でき、倉庫、工場等の大規模空間の高天井用照明器具としても好適に使用することが出来る。
【００８４】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００８５】
１０      ＬＥＤ実装基板
１１      ＬＥＤ
１２      実装面
２０      取付部材
２１      底部
２２      側壁部
２３      土台部
２４      ねじ止め孔
２５、２６      係止穴
３０      カバー部材
３１      カバー部
３２      レール部
３３      延出領域
４０      電源部
５０      隙間
６０      スペーサー
７０、８０、９０      サイドキャップ
７１、８１、９１      凸部（隙間形成部）
９２      挿入用凸部
２１２      凸部
１００、３００、４００、５００、７００      ＬＥＤ光源ユニット
２００、６００、８００      本体ユニット
２１０      本体板
２２０      板バネ状係止片
２１１      凹部
２１３      底面
２２１      折り返し端部
１０００、２０００、３０００、４０００      ＬＥＤ照明器具
【図１】
2019114564.tif 000003
【図２】
2019114564.tif 000004
【図３】
2019114564.tif 000005
【図４】
2019114564.tif 000006
【図５】
2019114564.tif 000007
【図６】
2019114564.tif 000008
【図７】
2019114564.tif 000009
【図８】
2019114564.tif 000010
【図９】
2019114564.tif 000011
【図１０】
2019114564.tif 000012
【図１１】
2019114564.tif 000013